(57)【要約】      （修正有）【課題】フットマッサージ装置を有するフットスツールを提供する。【解決手段】フットスツールは、主に組立スペースを有するベースと、第一ボード２０と、第二ボード３０と、を備えている。ベースは２つの支持フレーム１１を有し、２つの支持フレームの間には第一ボードを装設し、且つ、組立スペース内に位置する第二ボードを枢着する。ちなみに、第二ボードにはマッサージ装置３１を更に設置し、使用者が第一ボードに足を載せるだけではなく、第二ボードに足を載せると共にマッサージ装置を使用することも選択可能であり、フットスツールが足を載せる機能のみならずマッサージ効果も有する。【選択図】図１
0003228649.tif 000002
【実用新案登録請求の範囲】
【請求項１】
２つの支持フレームを有し、前記２つの支持フレームの間には組立スペースを有するベースと、
前記２つの支持フレームに装設する第一ボードと、
前記２つの支持フレームに枢設すると共に前記組立スペース内に位置し、マッサージ装置を有する第二ボードと、を備えることを特徴とする、
フットマッサージ装置を有するフットスツール。
【請求項２】
前記第二ボードは２つの側壁を有し、前記マッサージ装置はマッサージロールを有し、前記マッサージロールの両端は前記２つの側壁を貫通すると共に前記２つの支持フレームに枢着することを特徴とする請求項１に記載のフットマッサージ装置を有するフットスツール。
【請求項３】
前記マッサージロールは複数のマッサージ粒子を有することを特徴とする請求項２に記載のフットマッサージ装置を有するフットスツール。
【請求項４】
２つの前記支持フレームは第一支持ロッド及び第二支持ロッドでそれぞれ構成し、前記第二ボードは前記２つの支持フレームの前記第一支持ロッドの間に枢設し、前記第二ボードのうちの１つの側壁には第一支持ロッドに向けて位置決めピンを凸設し、前記第一支持ロッドには開放型の２つの位置決め溝を凹設することを特徴とする請求項１に記載のフットマッサージ装置を有するフットスツール。
【請求項５】
２つの前記支持フレームは第一支持ロッド及び第二支持ロッドでそれぞれ構成し、前記２つの支持フレームは第三支持ロッドを更に有し、前記第三支持ロッドのうちの一端は前記第一ボードに枢着し、他端には前記第一支持ロッドを枢着することを特徴とする請求項１に記載のフットマッサージ装置を有するフットスツール。
【請求項６】
２つの前記支持フレームは第一支持ロッド及び第二支持ロッドでそれぞれ構成し、前記第二ボードは対向する２つの側壁を有し、前記２つの側壁は前記第一支持ロッドにそれぞれ枢設することを特徴とする請求項１に記載のフットマッサージ装置を有するフットスツール。
【請求項７】
２つの前記支持フレームは第一支持ロッド及び第二支持ロッドでそれぞれ構成し、前記第一ボードは底面を有し、前記第一支持ロッド及び前記第二支持ロッドのうちの一端は前記底面に連結し、且つ前記底面に連結する前記第一支持ロッド及び前記第二支持ロッドの両端の間には前記組立スペースを有することを特徴とする請求項１に記載のフットマッサージ装置を有するフットスツール。
【請求項８】
２つの前記支持フレームは第一支持ロッド及び第二支持ロッドでそれぞれ構成し、前記第一支持ロッドの中央段は前記第二支持ロッドの中央段に枢着することを特徴とする請求項１に記載のフットマッサージ装置を有するフットスツール。
【請求項９】
前記マッサージロールの数量は２つであることを特徴とする請求項２に記載のフットマッサージ装置を有するフットスツール。
【請求項１０】
２つの前記支持フレームは第一支持ロッド及び第二支持ロッドでそれぞれ構成し、前記第一支持ロッドには位置決め孔を設け、前記第二ボードの側面にはボルト穴を穿設し、前記位置決め孔及び前記ボルト穴を貫通するボルトを更に有することを特徴とする請求項１に記載のフットマッサージ装置を有するフットスツール。
【考案の詳細な説明】
【技術分野】
【０００１】
本考案は、フットスツールの分野に関し、更に詳しくは、フットマッサージ装置を有するフットスツールに関する。
【背景技術】
【０００２】
椅子に座った人がより快適に感じるようにするため、市場には使用者が足を載せるための異なるモデルの多様なフットスツールが登場し、使用者が椅子に座った際に両足を伸ばしせるようにして快適性を高めている。使用者に更なる使用体験を提供するため、市場には様々なモデルのフットスツールが登場している。例えば、フットスツール表面にスポンジパッドを敷設し、使用者が足を載せた際にソフトな感触を提供しているものや、フットスツールの色を変更することでフットスツールが環境に溶け込むようにしているものがある。
【考案の概要】
【考案が解決しようとする課題】
【０００３】
しかしながら、一般的なフットスツールは使用者の足を載せる機能を有するものの、足を載せる以外の使用率は依然として低かった。
【０００４】
そこで、本考案者は上記の欠点が改善可能と考え、鋭意検討を重ねた結果、合理的設計で上記の課題を効果的に改善する本考案の提案に到った。
【０００５】
本考案は、以上の従来技術の課題を解決する為になされたものである。即ち、本考案の目的は、フットマッサージ装置を有するフットスツールを提供することにより、一般的な市販のフットスツールが足を載せる機能以外を持たないという問題を解決することにある。
【課題を解決するための手段】
【０００６】
上記目的を達成するための主たる考案は、２つの支持フレームを有し、前記２つの支持フレームの間には組立スペースを有するベースと、前記２つの支持フレームに装設する第一ボードと、前記２つの支持フレームに枢設すると共に前記組立スペース内に位置し、マッサージ装置を有する第二ボードと、を備えていることを特徴とするフットマッサージ装置を有するフットスツールである。
【０００７】
本考案の好適例において、前記第二ボードは２つの側壁を有し、前記マッサージ装置はマッサージロールを有し、前記マッサージロールの両端は前記２つの側壁を貫通すると共に前記２つの支持フレームに枢着する。
【０００８】
本考案の好適例において、前記マッサージロールは複数のマッサージ粒子を有する。
【０００９】
本考案の好適例において、２つの前記支持フレームは第一支持ロッド及び第二支持ロッドでそれぞれ構成する。前記第二ボードは前記２つの支持フレームの前記第一支持ロッドの間に枢設し、前記第二ボードのうちの１つの前記側壁には第一支持ロッドに向けて位置決めピンを凸設し、前記第一支持ロッドには開放型の２つの位置決め溝を凹設する。
【００１０】
本考案の好適例において、２つの前記支持フレームは第一支持ロッド及び第二支持ロッドでそれぞれ構成する。前記２つの支持フレームは第三支持ロッドを更に有し、前記第三支持ロッドのうちの一端は前記第一ボードに枢着し、他端には前記第一支持ロッドを枢着する。
【００１１】
本考案の好適例において、２つの前記支持フレームは第一支持ロッド及び第二支持ロッドでそれぞれ構成する。前記第二ボードは対向する２つの側壁を有し、前記２つの側壁は前記第一支持ロッドにそれぞれ枢設する。
【００１２】
本考案の好適例において、２つの前記支持フレームは第一支持ロッド及び第二支持ロッドでそれぞれ構成する。前記第一ボードは底面を有する。前記第一支持ロッド及び前記第二支持ロッドのうちの一端は前記底面に連結し、且つ前記底面に連結する前記第一支持ロッド及び前記第二支持ロッドの両端の間には前記組立スペースを有する。
【００１３】
本考案の好適例において、２つの前記支持フレームは第一支持ロッド及び第二支持ロッドでそれぞれ構成し、前記第一支持ロッドの中央段は前記第二支持ロッドの中央段に枢着する。
【００１４】
本考案の好適例において、前記マッサージロールの数量は２つである。
【００１５】
本考案の好適例において、前記第一支持ロッドには位置決め孔を設け、前記第二ボードの側面にはボルト穴を穿設し、前記位置決め孔及び前記ボルト穴を貫通するボルトを更に有する。
【考案の効果】
【００１６】
本考案によれば、次のような効果がある。
前記第二ボードのマッサージ装置に使用者が足を載せるとマッサージが施され、使用者の使用体験を向上する。フットスツールは足を載せる機能のみならずマッサージ効果も有する。特に、本考案に係るフットスツールは複数の効果を提供するのみならず、使用者が使用を終えたら前記ベース、前記第一ボード、及び第二ボードを折り畳んで収納することができ、全体的な体積を減らして収納しやすくする。
【００１７】
本明細書及び図面の記載により、少なくとも、以下の事項が明らかとなる。
【図面の簡単な説明】
【００１８】
【図１】本考案の第１実施形態に係るフットマッサージ装置を有するフットスツールを示した傾斜図である。
【図２】本考案の第１実施形態に係るフットマッサージ装置を有するフットスツールを示した分解図である。
【図３】本考案の第二ボ−ドがある状態での一部拡大を示した側面図である。
【図４】本考案の第二ボ−ドが他の状態での一部拡大を示した側面図である。
【図５】本考案の第一の状況の使用状態を示した図である。
【図６】本考案の第二の状況の使用状態を示した図である。
【図７】本考案の折り畳み状態を示した概略図である。
【図８】本考案の第２実施形態に係るフットマッサージ装置を有するフットスツールを示した分解図である。
【考案を実施するための形態】
【００１９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００２０】
＜第１実施形態＞
まず、図１〜３を参照しながら、本考案のフットマッサージ装置を有するフットスツールを詳しく説明する。本考案のフットマッサージ装置を有するフットスツールは、ベース１０と、第一ボード２０と、第二ボード３０と、を備えている。
【００２１】
前記ベース１０は２つの支持フレーム１１を有し、前記２つの支持フレーム１１の間には組立スペース１２を有する。本実施例では、２つの前記支持フレーム１１は第一支持ロッド１１１及び第二支持ロッド１１２でそれぞれ構成する。前記第一支持ロッド１１１の中央段は前記第二支持ロッド１１２の中央段に枢着し、前記２つの支持フレーム１１を開いて地面に支持する際に側面がＸ字形を呈する。
【００２２】
前記第一ボード２０は前記２つの支持フレーム１１に装設する。本実施例では、前記第一ボード２０は底面２１を有し、前記第一支持ロッド１１１及び前記第二支持ロッド１１２のうちの一端は前記底面２１に連結し、且つ前記底面２１に連結する前記第一支持ロッド１１１及び前記第二支持ロッド１１２の両端の間には距離を有する。前記第一支持ロッド１１１及び前記第二支持ロッド１１２を相互に枢動すると、前記第一ボード２０、前記第一支持ロッド１１１、及び前記第二支持ロッド１１２が折り畳まれて収納しやすくなる。
【００２３】
前記第二ボード３０は前記２つの支持フレーム１１に枢設すると共に前記組立スペース１２内に位置し、且つ前記第二ボード３０はマッサージ装置３１を有する。本実施例では、前記第二ボード３０は対向する２つの側壁３２を有し、前記２つの側壁３２にはピボット穴３２１をそれぞれ開設する。
【００２４】
次に、前記マッサージ装置３１はマッサージロール３１１を有し、前記マッサージロール３１１の両端は前記第二ボード３０の側壁３２に枢着し、前記マッサージロール３１１を枢動可能にする。ちなみに、前記マッサージロール３１１は複数のマッサージ粒子３１１１を有し、使用者が前記マッサージロール３１１を足の裏で踏むと、マッサージロール３１１及びマッサージ粒子３１１１が使用者に踏まれて回転マッサージを実施する。
前記マッサージ装置３１の両側面にはピボット３１２をそれぞれ凸設し、２つの前記ピボット３１２が前記ピボット穴３２１をそれぞれ貫通すると共に前記第一支持ロッド１１１の組立孔１１１２に枢設し、前記第二ボード３０が前記ピボット３１２により組立孔１１１２に枢着した位置を中心として枢動する。
【００２５】
更に、前記第二ボード３０は前記２つの支持フレーム１１の前記第一支持ロッド１１１の間に枢設し、前記第二ボード３０のうちの１つの前記側壁３２には第一支持ロッド１１１に向けて位置決めピン３３を凸設し、前記第一支持ロッド１１１には開放型の２つの位置決め溝１１１１を凹設する。これにより、前記第二ボード３０を枢動して第二ボード３０の底面２１または前記マッサージ装置３１を使用者に向け、前記位置決めピン３３を対応する前記位置決め溝１１１１中に係合することで前記第二ボード３０を固定する。
【００２６】
最後に、図７に示されるように、前記２つの支持フレーム１１は第三支持ロッド１１３を更に有し、前記第三支持ロッド１１３のうちの一端は前記底面２１に枢着し、他端には前記第一支持ロッド１１１を枢着する。これにより、前記第一ボード２０を枢動すると、前記第一支持ロッド１１１及び前記第三支持ロッド１１３の間で枢動し、前記第一支持ロッド１１１及び前記第三支持ロッド１１３の合計の長さが前記第二支持ロッド１１２よりも長くなり、前記第一ボード２０が支持フレーム１１とスムーズに折り畳めるようになり、折り畳んだ状態での収納効果を達成する。
【００２７】
＜第２実施形態＞
本考案の第２実施形態の構成を図８に示す。前記第一支持ロッド１１１は円柱管であり、前記第一支持ロッド１１１には１つの位置決め孔１１１３及び前記組立孔１１１２を設け、前記第二ボード３０の側壁３２にはボルト穴３２２を穿設する。ボルト４０を更に有し、前記位置決め孔１１１３及び前記ボルト穴３２２に前記ボルト４０を差し込むことで前記第二ボード３０を固定し、前記第二ボード３０を枢動しないようにする。
【００２８】
以上が本考案の好ましい実施形態の構造形態及びその連結関係の説明であり、以下では本考案の使用方法について説明する。
【００２９】
図５と図６に示されるように、使用者は一般的な椅子に座って前記第一ボード２０の前記第二ボード３０のどちらに足を載せるか選択可能であり、或いは、どちらか一方の足を第一ボード２０に載せ、もう一方の足を第二ボード３０に載せることを選択してもよい。
【００３０】
図３と図４に示されるように、使用者は前記第二ボード３０を回転して前記マッサージ装置３１が使用者に向くように選択でき、或いは前記第二ボード３０の平面を使用者に向くように選択することも可能である。使用者が足で前記第二ボード３０を回転すると、前記マッサージ装置３１または前記第二ボード３０の平面のどちらを使用者に向けても、前記第二ボード３０にある固定柱が対応する固定溝内に係合し、前記第二ボード３０が勝手に回転しなくなる。
【００３１】
前記第二ボード３０にあるマッサージ装置３１を使用者が足で踏むと、使用者の足にマッサージを施し、使用体験を向上させる。フットスツールが足を載せる機能以外にもマッサージ効果も兼ね備えている。
【００３２】
図７に示されるように、本考案に係るフットスツールは複数の効果を提供するのみならず、使用者が使用を終えたら前記ベース１０、前記第一ボード２０、及び第二ボード３０を折り畳んで収納することができ、全体的な体積が減少して収納が便利になる。
【００３３】
第２実施形態において、使用者は直接足で前記第二ボード３０をひっくり返し、前記ボルト４０を前記位置決め孔１１１３及びボルト穴３２２に挿入することで、第二ボード３０を固定する効果を同様に達成することができる（図８参照）。
【００３４】
以上、本考案の実施形態について図面を参照して詳述したが、具体的な構成はこの実施形態に限られるものではなく、本考案の要旨を逸脱しない範囲の設計変更等も含まれる。
【符号の説明】
【００３５】
１０  ベース
１１  支持フレーム
１１１  第一支持ロッド
１１１１  位置決め溝
１１１２  組立孔
１１１３  位置決め孔
１１２  第二支持ロッド
１１３  第三支持ロッド
１２  組立スペース
２０  第一ボード
２１  底面
３０  第二ボード
３１  マッサージ装置
３１１  マッサージロール
３１１１  マッサージ粒子
３１２  ピボット
３２  側壁
３２１  ピボット穴
３２２  ボルト穴
３３  位置決めピン
【図１】
0003228649.tif 000003
【図２】
0003228649.tif 000004
【図３】
0003228649.tif 000005
【図４】
0003228649.tif 000006
【図５】
0003228649.tif 000007
【図６】
0003228649.tif 000008
【図７】
0003228649.tif 000009
【図８】
0003228649.tif 000010